(57)【要約】      （修正有）【課題】複数の積木を積重ねて四層を呈したタワー型体を形成することができる立体積木であり、台座或いは各材質表面に印刷された造形によって難易度を上げることが可能な、六角形積木及びその台座を提供する。【解決手段】六角形を呈した４つのユニット１０が水平及び垂直方向へ接続されることにより、全２３種の異なる立体造形を備えた積木を形成する。更に、これらの積木から選んだ数種の積木を、台座３５、或いは各材質表面に印刷された造形に合わせて、複数層のタワー型体をなすように縦・横に積重ねる。全体の難度及び可変性を向上させるとともに、ロジカル思考や空間における立体構成力を鍛錬することができる。【選択図】図４
0003194664.tif 000002
【実用新案登録請求の範囲】
【請求項１】
六角形積木及びその台座であって、
前記積木は、六角形を呈した４つのユニットが水平及び垂直方向へ互いに接続されてなるとともに、全２３種の異なる立体造形を備えた前記積木を形成し、
前記台座には、前記台座の造形に応じて選ばれた複数種類の前記積木が、複数層のタワー型体をなすように積重ねられることを特徴とする、六角形積木及びその台座。
【請求項２】
更に前記積木は、積木Ａ〜積木Ｗのうちのいずれか一つの形状をなし、
前記積木Ａは、第１ユニットと第２ユニットが水平接続されるとともに、接続部分の両側にそれぞれ第３ユニットと第４ユニットが接続されてなり、
前記積木Ｂは、第１ユニットと第２ユニットが水平接続されるとともに、下方に第３ユニットと第４ユニットが接続されてなり、
前記積木Ｃは、第１ユニットと第２ユニットと第３ユニットが垂直接続されるとともに、第４ユニットが第１ユニット一側に接続されてなり、
前記積木Ｄは、第１ユニットと第２ユニットが垂直接続されるとともに、予め垂直接続された第３ユニットと第４ユニットが第１ユニット一側に接続されてなり、
前記積木Ｅは、第１ユニットと第２ユニットと第３ユニットが垂直接続された後、第４ユニットが第２ユニット一側に接続されてなり、
前記積木Ｆは、第１ユニットと第２ユニットが垂直接続された後、第３ユニットが第２ユニット一側に接続されるとともに、第４ユニットが第１ユニット一側に接続されてなり、
前記積木Ｇは、第２ユニットと第３ユニットと第４ユニットが互いに接続された後、第１ユニットが第２ユニット上方に接続されてなり、
前記積木Ｈは、第１ユニット下方に、第２ユニットと第３ユニットと第４ユニットとが、順に垂直接続されてなり、
前記積木Ｉは、第１ユニットと第２ユニットが垂直接続されるとともに、第２ユニット側面にはそれぞれ第３ユニット及び第４ユニットが水平接続され、且つ第３ユニットと第４ユニットがそれぞれの左・右に側面の一辺分・三辺分を隔てるように設けられてなり、
前記積木Ｊは、第１ユニットと第２ユニットが垂直接続されるとともに、第２ユニット一側と第３ユニットが水平接続され、且つ第２ユニットの他側と第４ユニットが水平接続され、更に第３ユニットと第４ユニットが側面の二辺分を隔てるように設けられてなり、
前記積木Ｋは、第１ユニットと第２ユニットが水平接続されるとともに、第３ユニットと第４ユニットが水平接続され、且つ第３ユニットが第１ユニット下方に垂直接続され、更に第２ユニットと第４ユニットが側面の二辺分を隔てるように設けられてなり、
前記積木Ｌは、第１ユニットと第２ユニットと第３ユニットがＩ字型を呈するように水平接続されるとともに、第４ユニットが第１ユニット上方に垂直接続されてなり、
前記積木Ｍは、第１ユニットが第３ユニットと水平接続され、第２ユニットが第４ユニットと水平接続されるとともに、第１ユニットが第２ユニット上方に垂直接続され、且つ第３ユニットと第４ユニットが隣り合うように設けられてなり、
前記積木Ｎは、第１ユニットが第３ユニットと水平接続され、第２ユニットが第４ユニットと水平接続されるとともに、第１ユニットが第２ユニット上方に垂直接続され、且つ第３ユニットと第４ユニットが隣り合うように設けられてなり、
前記積木Ｏは、第１ユニットが第３ユニットと水平接続され、第２ユニットが第４ユニットと水平接続されるとともに、第１ユニットが第２ユニット上方に垂直接続され、且つ第３ユニットと第４ユニットがそれぞれの左・右に側面の一辺分・三辺分を隔てるように設けられてなり、
前記積木Ｐは、第１ユニット側面に第２ユニット及び第３ユニットがそれぞれ互いに側面の一辺分を隔てるように接続されるとともに、第３ユニット上方に第４ユニットが重ね合わされてなり、
前記積木Ｑは、第１ユニット側面に第２ユニット及び第３ユニットがそれぞれ互いに側面の一辺分を隔てるように接続されるとともに、第３ユニット上方に第４ユニットが重ね合わされてなり、
前記積木Ｒは、第１ユニット側面に第２ユニットと第３ユニットと第４ユニットが、それぞれ側面の一辺分を隔てるように接続されてなり、
前記積木Ｓは、第１ユニット側面が第２ユニットと接続され、第２ユニット側面が第３ユニットと接続され、第３ユニット側面が第４ユニットと接続されてなるとともに、前記積木Ｓ全体がＣ字型を呈し、
前記積木Ｔは、第１ユニットと第２ユニットと第３ユニットがそれぞれ互いに二側面が隣接するように接続されるとともに、第３ユニット側面に第４ユニットが接続されてなり、
前記積木Ｕは、第１ユニット側面が第２ユニットと接続され、第３ユニット側面が第４ユニットと接続されるとともに、第２ユニットと第３ユニットが互いに接続されてなり、
前記積木Ｖは、第１ユニットと第２ユニットと第３ユニットがＩ字型を呈するように水平接続されるとともに、第３ユニット側面に第４ユニットが接続されてなり、
前記積木Ｗは、第１ユニットと第２ユニットと第３ユニットと第４ユニットが水平接続されてなるとともに、前記積木Ｗ全体がＩ字型を呈し、
更に前記積木Ａ〜Ｗは、互いに対応するユニット同士が合わされて積重ねられることにより互いに連結されるとともに、選択された前記積木Ａ〜Ｗが前記台座内に置かれることを特徴とする、請求項１に記載の六角形積木及びその台座。
【請求項３】
前記台座は、三角形・四角形・台形・六角形・正多辺形のうちのいずれか一つのタワー型体を形成するように積木を積重ねるために、前記台座における平らな材質表面のいずれか一つに関連図形が印刷されることを特徴とする、請求項１に記載の六角形積木及びその台座。
【請求項４】
前記台座には、更に凹溝が設けられ、
前記凹溝は、７つのユニットが設けられるための位置Ａ〜Ｇを有し、
前記台座には、異なる形状の複数の積木が縦向きに嵌め置かれて重ねられることにより、毎層に７つのユニットが設けられるとともに４層の高さを有し且つ全２８個のユニットからなるタワー型体が形成されることを特徴とする、請求項１に記載の六角形積木及びその台座。
【請求項５】
前記台座には、凹溝が設けられ、
前記凹溝には、複数の積木が横向きに嵌め置かれ、
更に複数の前記積木は、複数の平面一〜平面十を有し、
平面一と平面二、平面三と平面四、平面四と平面五、平面六と平面七、平面九と平面十は、それぞれ１２０度の角を呈し、
平面二と平面三、平面五と平面六、平面八と平面九は、それぞれ２４０度の角を呈し、
複数の前記平面によって形成された１２０度、及び２４０度の角には、積木Ａ〜Ｗがしっかりと嵌め置かれるとともに、３層の高さまで積重ねられ、
前記３層は、各層にそれぞれ８個・１２個・８個のユニットが設けられるとともに、全２８個のユニットからなるタワー型体をなすことを特徴とする、請求項１に記載の六角形積木及びその台座。
【考案の詳細な説明】
【技術分野】
【０００１】
本考案は、積木に関し、特に六角形を呈した４つのユニットからなる立体積木であるとともに、複数の前記積木を積重ねて四層を呈したタワー型体を形成することができ、且つ台座或いは各材質表面に印刷された造形によって難易度を上げることが可能な、六角形積木及びその台座に関する。
【背景技術】
【０００２】
一般に市販されている知育用積木セットの造形は、方形・板体・球体…等である。また、積木の構成方向は、Ｘ・Ｙ軸方向に延伸する場合が多く、積重ねの際、水平或いは直角方向に対応させて組合せやすくなるため、一定の規則性を見出すことが容易である。よって、ロジカルな思考や空間における位置転換の予測判断を訓練するための効果には限りがある。
【０００３】
後に、関連付属部品や、積木構造にホゾ穴・凹凸溝…等の設計を加えて組合せの可変性が向上された製品が開発された。これにより、訓練の難易度や目的を自由に調整できるようになり、難易度と可変性が向上されたものの、依然として改善の余地が残されている。
【考案の概要】
【考案が解決しようとする課題】
【０００４】
本考案は、六角形を呈した４つのユニットからなる立体積木であるとともに、複数の前記積木を積重ねて四層を呈したタワー型体を形成することができ、且つ台座或いは各材質表面に印刷された造形によって難易度を上げることが可能な、六角形積木及びその台座を提供することを目的とする。
【課題を解決するための手段】
【０００５】
本考案の六角形積木及びその台座は、六角形を呈した４つのユニットが、水平及び垂直方向へ互いに接続されることにより、全２３種の立体造形を備えた積木を形成する。更に、台座には、台座の造形に応じて選ばれた複数種類の積木が、四層のタワー型体をなすように積重ねられる。
【０００６】
また、前記積木は、台座によって横向きの配列に変えることができるため、一般的な縦向きの積重ね方法から脱却し、大幅に難度を引き上げることが可能である。更に、前記台座は、平らな材質表面のいずれか一つに関連図形を印刷することにより、これ
【考案の効果】
【０００７】
以上の構造により、本考案は、従来技術と比較して以下の長所を備える。すなわち、４つの六角形のユニットからなる複数の立体積木を、縦・横方向へ積重ねて組合せるとともに、材質表面に異なる図形を印刷することにより、積重ねて形成されるタワー型体の造形のバラエティを増やすことができ、且つ積木を積重ねる図形の選択肢を増やすことにより、訓練難易度と娯楽性の向上が可能になる。
【図面の簡単な説明】
【０００８】
【図１】本考案の各構成部品を示した斜視図一である。
【図２】本考案の各構成部品を示した斜視図二である。
【図３】本考案の各構成部品を示した斜視図三である。
【図４】本考案の積重ね組合せ（実施例１）の動作を示した概略図である。
【図５】本考案の積重ね組合せ（実施例１）の各層を示した概略図である。
【図６】本考案の積重ね組合せ（実施例２）の各層を示した概略図である。
【図７】本考案の積重ね組合せ（実施例３）の各層を示した概略図である。
【図８】本考案の積重ね組合せ（実施例４）の各層を示した概略図である。
【図９】本考案の積重ね組合せ（実施例５）を示した斜視図である。
【図１０】本考案の積重ね組合せ（実施例５）におけるＡ−Ａ断面を示した斜視図である。
【図１１】本考案の積重ね組合せ（実施例５）の動作を示した斜視図である。
【図１２】本考案の積重ね組合せ（実施例５）の各層を示した斜視図である。
【図１３】本考案の積重ね組合せ（実施例６）の各層を示した斜視図である。
【図１４】本考案の積重ね組合せ（実施例７）の各層を示した斜視図である。
【考案を実施するための形態】
【０００９】
本考案の六角形積木及びその台座について、図１〜１４を参照する。図に示したように、本考案の積木は、六角形を呈した４つのユニット１０が、水平及び垂直方向へ互いに接続されることにより、異なる立体造形を備えた全２３種の積木Ａ１１〜積木Ｗ３３を形成する。更に、台座３５・３６には、台座の造形に応じて選ばれた複数の積木が、複数層のタワー型体３４をなすように積重ねられる。積木Ａ１１〜積木Ｗ３３の形状については、以下で述べる。
【００１０】
積木Ａ１１の形状は、第１ユニットａ１と第２ユニットａ２が水平接続されるとともに、接続部分の両側にそれぞれ第３ユニットａ３と第４ユニットａ４が接続されてなる。積木Ｂ１２の形状は、第１ユニットｂ１と第２ユニットｂ２が水平接続されるとともに、下方に第３ユニットｂ３と第４ユニットｂ４が接続されてなる。積木Ｃ１３の形状は、第１ユニットｃ１と第２ユニットｃ２と第３ユニットｃ３が垂直接続されるとともに、第４ユニットｃ４が第１ユニットｃ１一側に接続されてなる。積木Ｄ１４の形状は、第１ユニットｄ１と第２ユニットｄ２が垂直接続されるとともに、予め垂直接続された第３ユニットｄ３と第４ユニットｄ４が第１ユニットｄ１一側に接続されてなる。積木Ｅ１５の形状は、第１ユニットｅ１と第２ユニットｅ２と第３ユニットｅ３が垂直接続された後、第４ユニットｅ４が第２ユニットｅ２一側に接続されてなる。積木Ｆ１６の形状は、第１ユニットｆ１と第２ユニットｆ２が垂直接続された後、第３ユニットｆ３が第２ユニットｆ２一側に接続されるとともに、第４ユニットｆ４が第１ユニットｆ１一側に接続されてなる。積木Ｇ１７の形状は、第２ユニットｇ２と第３ユニットｇ３と第４ユニットｇ４が互いに接続された後、第１ユニットｇ１が第２ユニットｇ２上方に接続されてなる。積木Ｈ１８の形状は、第１ユニットｈ１下方に、第２ユニットｈ２と第３ユニットｈ３と第４ユニットｈ４とが、順に垂直接続されてなる。積木Ｉ１９の形状は、第１ユニットｉ１と第２ユニットｉ２が垂直接続されるとともに、第２ユニットｉ２側面にはそれぞれ第３ユニットｉ３及び第４ユニットｉ４が水平接続され、且つ第３ユニットｉ３と第４ユニットｉ４がそれぞれの左・右に側面の一辺分・三辺分を隔てるように設けられてなる。積木Ｊ２０の形状は、第１ユニットｊ１と第２ユニットｊ２が垂直接続されるとともに、第２ユニットｊ２一側と第３ユニットｊ３が水平接続され、且つ第２ユニットｊ２の他側と第４ユニットｊ４が水平接続され、更に第３ユニットｊ３と第４ユニットｊ４が側面の二辺分を隔てるように設けられてなる。積木Ｋ２１の形状は、第１ユニットｋ１と第２ユニットｋ２が水平接続されるとともに、第３ユニットｋ３と第４ユニットｋ４が水平接続され、且つ第３ユニットｋ３が第１ユニットｋ１下方に垂直接続され、更に第２ユニットｋ２と第４ユニットｋ４が側面の二辺分を隔てるように設けられてなる。積木Ｌ２２の形状は、第１ユニットｌ１と第２ユニットｌ２と第３ユニットｌ３がＩ字型を呈するように水平接続されるとともに、第４ユニットｌ４が第１ユニットｌ１上方に垂直接続されてなる。積木Ｍ２３の形状は、第１ユニットｍ１が第３ユニットｍ３と水平接続され、第２ユニットｍ２が第４ユニットｍ４と水平接続されるとともに、第１ユニットｍ１が第２ユニットｍ２上方に垂直接続され、且つ第３ユニットｍ３と第４ユニットｍ４が隣り合うように設けられてなる。積木Ｎ２４の形状は、第１ユニットｎ１が第３ユニットｎ３と水平接続され、第２ユニットｎ２が第４ユニットｎ４と水平接続されるとともに、第１ユニットｎ１が第２ユニットｎ２上方に垂直接続され、且つ第３ユニットｎ３と第４ユニットｎ４が隣り合うように設けられてなる。積木Ｏ２５の形状は、第１ユニットｏ１が第３ユニットｏ３と水平接続され、第２ユニットｏ２が第４ユニットｏ４と水平接続されるとともに、第１ユニットｏ１が第２ユニットｏ２上方に垂直接続され、且つ第３ユニットｏ３と第４ユニットｏ４がそれぞれの左・右に側面の一辺分・三辺分を隔てるように設けられてなる。積木Ｐ２６の形状は、第１ユニットｐ１側面に第２ユニットｐ２及び第３ユニットｐ３がそれぞれ互いに側面の一辺分を隔てるように接続されるとともに、第３ユニットｐ３上方に第４ユニットｐ４が重ね合わされてなる。積木Ｑ２７の形状は、第１ユニットｑ１側面に第２ユニットｑ２及び第３ユニットｑ３がそれぞれ互いに側面の一辺分を隔てるように接続されるとともに、第３ユニットｑ３上方に第４ユニットｑ４が重ね合わされてなる。積木Ｒ２８の形状は、第１ユニットｒ１側面に第２ユニットｒ２と第３ユニットｒ３と第４ユニットｒ４が、それぞれ側面の一辺分を隔てるように接続されてなる。積木Ｓ２９の形状は、第１ユニットｓ１側面が第２ユニットｓ２と接続され、第２ユニットｓ２側面が第３ユニットｓ３と接続され、第３ユニットｓ３側面が第４ユニットｓ４と接続されてなるとともに、積木Ｓ２９全体がＣ字型を呈する。積木Ｔ３０の形状は、第１ユニットｔ１と第２ユニットｔ２と第３ユニットｔ３がそれぞれ互いに二側面が隣接するように接続されるとともに、第３ユニットｔ３側面に第４ユニットｔ４が接続されてなる。積木Ｕ３１の形状は、第１ユニットｕ１側面が第２ユニットｕ２と接続され、第３ユニットｕ３側面が第４ユニットｕ４と接続されるとともに、第２ユニットｕ２と第３ユニットｕ３が互いに接続されてなる。積木Ｖ３２の形状は、第１ユニットｖ１と第２ユニットｖ２と第３ユニットｖ３がＩ字型を呈するように水平接続されるとともに、第３ユニットｖ３側面に第４ユニットｖ４が接続されてなる。積木Ｗ３３の形状は、第１ユニットｗ１と第２ユニットｗ２と第３ユニットｗ３と第４ユニットｗ４が水平接続されてなるとともに、積木Ｗ３３全体がＩ字型を呈する。
【００１１】
（実施例１）（実施例２）（実施例３）
図１〜４を参照する。台座３５は、凹溝３７１を有し、積木Ａ１１〜積木Ｗ３３のいずれか数種を選んで凹溝３７１の形状に合わせて配列し積重ねることができ、その組合せ方法は多様な変化が可能である。図に示したように、凹溝３７１内の形状は、中央の六角形における６面と６個の六角形とがそれぞれ連通してなるとともに、凹溝３７１には、位置Ａ３５１・Ｂ３５２・Ｃ３５３・Ｄ３５４・Ｅ３５５・Ｆ３５６・Ｇ３５７がそれぞれ設けられる。また、積重ねられる高さは４層であり、各層毎に７個のユニット１０が設けられ、即ち全部で２８個のユニット１０が設けられる。積重ね方法は、まず、積木Ｇ１７下方の第２ユニットｇ２・第３ユニットｇ３・第４ユニットｇ４を位置Ｃ３５３・Ｄ３５４・Ｇ３５７と合わせた後、積木Ｆ１６下方の第２ユニットｆ２・第３ユニットｆ３を位置Ｂ３５２・位置Ａ３５１に合わせて積重ね、第４ユニットｆ４が第３ユニットｇ３上方に設けられるようにする。次に、積木Ｅ１５の第３ユニットｅ３を位置Ｆ３５６と合わせてから、積木Ｃ１３の第３ユニットｃ３を位置Ｅ３５５と合わせて積重ね、第４ユニットｃ４が第１ユニットｇ１上方に設けられるようにする。更に、積木Ｄ１４下方の第２ユニットｄ２・第４ユニットｄ４を第４ユニットｇ４・第４ユニットｆ４上方と合わせて積重ねてから、積木Ｂ１２の第３ユニットｂ３・第４ユニットｂ４を第４ユニットｅ４・第３ユニットｆ３上方と合わせて積重ね、続けて積木Ａ１１の第１ユニットａ１・第２ユニットａ２・第３ユニットａ３・第４ユニットａ４を第１ユニットｃ１・第４ユニットｃ４・第１ユニットｄ１・第１ユニットｅ１上方と合わせて積重ねる。以上により、台座３５に設けられた２３種のうちの７種の積木によってタワー型体３４が形成される（前述した積木の積重ね順序及び方法については、図５を参照する）。また、台座３５には、異なる積木或いは異なる配列順序によってタワー型体３４が形成されることも可能である（図６〜７を参照）。この場合の積重ね方法は、前述した方法と同じであるため、重複して述べることはしない。配列・積重ねの順序については、図示した積木の符号を参照されたい。
【００１２】
（実施例４）
図８を参照する。台座３５は、紙・木板・アクリル板…等からなる平らな表面のいずれか一つに、関連図形が印刷される（図示せず）。これにより、積木Ａ１１〜積木Ｗ３３から複数個を選ぶとともに、印刷された前記図形を基準として、タワー型体３４をなすように積重ねることができる。この種の構造は、タワー型体３４が三角形・四角形・台形・六角形・正多辺形のいずれか一つをなすように積重ねることができるとともに、各種造形の違いに応じて必要となる積木の数量も変わる。ただし、難度が高すぎて積重ねが困難になることを避けるため、積重ねる層の数は四層となるよう制限する。これにより、積重ねがより面白味を増す。
【００１３】
（実施例５）（実施例６）（実施例７）
図９〜１２を参照する。より変化に富んだ積重ねを可能にするため、横向きの構造をなした台座３６に、積木Ａ１１〜積木Ｗ３３から複数個を選んで横向きに入れる。これにより、使用者が異なる方向への配列について思考するように訓練することが可能である。台座３６には、凹溝３７１が設けられ、凹溝３７１内には平面一３６１〜平面十３７０が設けられる。このうち、平面一３６１と平面二３６２、平面三３６３と平面四３６４、平面四３６４と平面五３６５、平面六３６６と平面七３６７、平面九３６９と平面十３７０は、それぞれ二つの平面が１２０度の角を呈するように交わっている。また、平面二３６２と平面三３６３、平面五３６５と平面六３６６、平面八３６８と平面九３６９は、それぞれ二つの平面が２４０度の角を呈するように交わっている。これにより、複数の平面一３６１〜平面十３７０によって形成された１２０度及び２４０度の角に積木を嵌め置き、三層の高さをなすように積み上げることができる。尚、前記三層は、下層から上層までそれぞれ８個・１２個・８個のユニット１０からなり、全部で２８個のユニット１０からなる。また、位置Ａ’３７２、Ｂ’３７３、Ｃ’３７４、Ｄ’３７５、Ｅ’３７６、Ｆ’３７７、Ｇ’３７８、Ｈ’３７９に合わせて積木を積重ねる時は、まず積木Ｇ１７の第３ユニットｇ３を位置Ｄ’３７５と対応させてから、積木Ｆ１６の第２ユニットｆ２を位置Ｈ’３７９と対応させ、第１ユニットｆ１を位置Ｇ’３７８と対応させ、第４ユニットｆ４を位置Ｃ’３７４と対応させる。更に、積木Ｄ１４の第４ユニットｄ４を位置Ｂ’３７３と対応させ、第３ユニットｄ３を位置Ａ’３７２と対応させてから、積木Ｂ１２の第３ユニットｂ３を位置Ｆ’３７７と対応させ、第１ユニットｂ１を位置Ｅ’３７６と対応させる。この時、最下層は既に嵌め置かれている。続いて、積木Ｃ１３の第３ユニットｃ３を第２ユニットｂ３上方に置いてから、積木Ｅ１５の第３ユニットｅ３を第３ユニットｆ３上方に置き、第２ユニットｅ２・第４ユニットｅ４を第２ユニットｃ２・第１ユニットｇ１の右側に置き、第１ユニットｅ１を第４ユニットｂ４上方に置き、最後に積木Ａ１１の第３ユニットａ３・第２ユニットａ２・第４ユニットａ４を第３ユニットｄ３・第１ユニットｂ１・第２ユニットｂ２上方に置いて積重ねる。以上のように、７種の積木を台座３６に嵌め置いて積重ねることにより、横向きのタワー型体３４が形成される。横向きの積重ね方法について、更に図１３〜１４を参照する。選ぶ積木の違いにより配列方法も変わってくるため、異なる配列方法に応じて立体空間における思考を学習するように使用者を刺激することができる
【符号の説明】
【００１４】
１０                 ユニット
１１〜３３           積木Ａ〜積木Ｗ
３４                 タワー型体  塔型体
３５                 台座
３５１〜３５７       位置Ａ〜Ｇ
３５８               凹溝
３６                 台座
３６１〜３７０       平面一〜平面十
３７１               凹溝
３７２〜３７９       位置Ａ’〜位置Ｈ’
ａ１〜ａ４           第１ユニット〜第４ユニット
ｂ１〜ｂ４           第１ユニット〜第４ユニット
ｃ１〜ｃ４           第１ユニット〜第４ユニット
ｄ１〜ｄ４           第１ユニット〜第４ユニット
ｅ１〜ｅ４           第１ユニット〜第４ユニット
ｆ１〜ｆ４           第１ユニット〜第４ユニット
ｇ１〜ｇ４           第１ユニット〜第４ユニット
ｈ１〜ｈ４           第１ユニット〜第４ユニット
ｉ１〜ｉ４           第１ユニット〜第４ユニット
ｊ１〜ｊ４           第１ユニット〜第４ユニット
ｋ１〜ｋ４           第１ユニット〜第４ユニット
ｌ１〜ｌ４           第１ユニット〜第４ユニット
ｍ１〜ｍ４           第１ユニット〜第４ユニット
ｎ１〜ｎ４           第１ユニット〜第４ユニット
ｏ１〜ｏ４           第１ユニット〜第４ユニット
ｐ１〜ｐ４           第１ユニット〜第４ユニット
ｑ１〜ｑ４           第１ユニット〜第４ユニット
ｒ１〜ｒ４           第１ユニット〜第４ユニット
ｓ１〜ｓ４           第１ユニット〜第４ユニット
ｔ１〜ｔ４           第１ユニット〜第４ユニット
ｕ１〜ｕ４           第１ユニット〜第４ユニット
ｖ１〜ｖ４           第１ユニット〜第４ユニット
ｗ１〜ｗ４           第１ユニット〜第４ユニット
【図１】
0003194664.tif 000003
【図２】
0003194664.tif 000004
【図３】
0003194664.tif 000005
【図４】
0003194664.tif 000006
【図５】
0003194664.tif 000007
【図６】
0003194664.tif 000008
【図７】
0003194664.tif 000009
【図８】
0003194664.tif 000010
【図９】
0003194664.tif 000011
【図１０】
0003194664.tif 000012
【図１１】
0003194664.tif 000013
【図１２】
0003194664.tif 000014
【図１３】
0003194664.tif 000015
【図１４】
0003194664.tif 000016